(57)【特許請求の範囲】
【請求項１】
遮断器ケースの上面に電路を開閉操作する操作レバーを備え、背面に電源側端子を、前面に負荷側端子を夫々配置し、単相三線式電路に使用可能な配線用遮断器であって、
前記負荷側端子は速結端子で構成されるとともに、前記速結端子と同一面側に、各速結端子における接続部へ各種計器の測定端子を接触させるための差込孔が各速結端子毎に対応して開設されており、
前記差込孔を開閉するためのカバー部材を、前記面側で前記差込孔を開放させる開放位置と前記差込孔を閉塞する閉塞位置との間をスライド可能に設置したことを特徴とする配線用遮断器。
【請求項２】
カバー部材には、一組の速結端子及び差込孔を同時に露出可能な開口部が、各前記組毎に応じて開設されており、前記速結端子及び差込孔をどちらも前記開口部内に露出させる開放位置と、前記速結端子のみ前記開口部内に露出させて前記差込孔は閉塞した閉塞位置との間をスライド可能に設置したことを特徴とする請求項１に記載の配線用遮断器。
【請求項３】
カバー部材に、開放位置及び／又は閉塞位置において該位置を保持するための保持部を設けたことを特徴とする請求項１又は２に記載の配線用遮断器。
【発明の詳細な説明】
【技術分野】
【０００１】
本発明は、たとえば分電盤内等に設置される配線用遮断器に関するものである。
【背景技術】
【０００２】
従来より、負荷側端子と負荷配線との接続部を、カバー部材によって覆った配線用遮断器がある。このような配線用遮断器において、たとえば絶縁抵抗測定試験を行う際に、負荷配線を負荷側端子に接続したまま、且つ、上記カバー部材を外すことなく絶縁抵抗測定試験を実施できるよう、カバー部材に計測器等の測定端子を差し込み可能な開口部を開設するとともに、該開口部に扉部材を設置したものがある（特許文献１）。
【０００３】
【特許文献１】特開平７−５０１２７号公報
【発明の開示】
【発明が解決しようとする課題】
【０００４】
ここで、上記特許文献１に記載されている開口部とは、負荷側端子と負荷配線との接続部に直接測定端子を接触可能とするための開口部であり、また上記接続部の状態を視認しやすいように設けてなるものである。そのため、遮断器ケース（カバー部材を含む）において、負荷配線の遮断器ケースへの差し込み面に対し直角となる面（特許文献１では、負荷配線の差し込み面である遮断器ケースの前面に対し、遮断器ケースの上面）に開口部を設けている。
一方、近年、配線用遮断器の小型化の要求に応えるべく、遮断器ケースの前面における負荷側端子の配列を上下方向とした配線用遮断器が提案されている。このような配線用遮断器において、上記特許文献１に記載されているような開口部を設けるとなると、遮断器ケースの左右何れかの側面（負荷配線の遮断器ケースへの差し込み面に対し直角となる面）に開口部及び扉部材を設けることになる。
【０００５】
しかしながら、遮断器ケースの左右何れかの側面に開口部及び扉部材が設けられていると、たとえば分電盤内等への設置状態にある配線用遮断器にて絶縁抵抗測定試験を行いたい場合、左右両側に隣接設置されている配線用遮断器が邪魔となって、扉部材を開くことができず、上記試験を行うことができない。したがって、上記試験を行うためには、配線用遮断器を一々取り外さなければならず、使い勝手が非常に悪い。
【０００６】
そこで、本発明は、たとえば分電盤内等への設置状態にあっても容易に絶縁抵抗測定試験等を行うことができるとともに、該試験のための開口部を容易に開閉自在とした配線用遮断器を提供しようとするものである。
【課題を解決するための手段】
【０００７】
上記目的を達成するために、本発明のうち請求項１に記載の発明は、遮断器ケースの上面に電路を開閉操作する操作レバーを備え、背面に電源側端子を、前面に負荷側端子を夫々配置し、単相三線式電路に使用可能な配線用遮断器であって、前記負荷側端子は速結端子で構成されるとともに、前記速結端子と同一面側に、各速結端子における接続部へ各種計器の測定端子を接触させるための差込孔が各速結端子毎に対応して開設されており、前記差込孔を開閉するためのカバー部材を、前記面側で前記差込孔を開放させる開放位置と前記差込孔を閉塞する閉塞位置との間をスライド可能に設置したことを特徴とする。尚、ここで言うところの「接触」とは、測定端子の接続部への物理的な接触に加えて、電気的な接触をも含むものとする。
請求項２に記載の発明は、請求項１の発明において、カバー部材には、一組の速結端子及び差込孔を同時に露出可能な開口部が、各前記組毎に応じて開設されており、前記速結端子及び差込孔をどちらも前記開口部内に露出させる開放位置と、前記速結端子のみ前記開口部内に露出させて前記差込孔は閉塞した閉塞位置との間をスライド可能に設置したことを特徴とする。
請求項３に記載の発明は、請求項１又は２の発明において、カバー部材に、開放位置及び／又は閉塞位置において該位置を保持するための保持部を設けたことを特徴とする。
【発明の効果】
【０００８】
本発明によれば、負荷側端子は速結端子で構成されるとともに、速結端子と同一面側に、各速結端子における接続部へ各種計器の測定端子を接触させるための差込孔が各速結端子毎に対応して開設されている。したがって、遮断器の前面側から絶縁抵抗測定試験等を実施することができ、分電盤内等にて遮断器が設置状態にあったとしても、隣接設置された遮断器が邪魔になることなく、上記試験を実施することができる。
また、上記差込孔を開閉するためのカバー部材を、速結端子及び差込孔が設けられた面側で、差込孔を開放させる開放位置と差込孔を閉塞する閉塞位置との間をスライド可能に設けている。したがって、絶縁抵抗測定試験等を行わない場合には、カバー部材により差込孔を閉塞しておくことができ、差込孔への負荷配線の誤結線の防止や、差込孔内への塵等の進入を防止することができる。
さらに、請求項２に記載の発明によれば、カバー部材に、一組の速結端子及び差込孔を同時に露出可能な開口部を、各組毎に応じて開設している。したがって、各速結端子へ負荷配線を挿入接続した状態のまま、絶縁抵抗測定試験等を行う（すなわち、カバー部材を閉塞位置から開放位置へとスライド操作する）ことができ、使い勝手が良い。さらにまた、全ての差込孔を同時に開閉可能としているため、各差込孔毎に開閉機構を備えたものと比較すると、作業性に富む。
加えて、請求項３に記載の発明によれば、カバー部材に、開放位置及び／又は閉塞位置において該位置を保持するための保持部を設けている。したがって、絶縁抵抗測定試験実施中や分電盤内等への設置状態にあって、カバー部材の位置が安易にずれることがなく、使い勝手が非常に良い。
【発明を実施するための最良の形態】
【０００９】
以下、本発明の一実施形態となる配線用遮断器（以下、単に遮断器と称す）について図面を基に説明する。
図１は、本実施形態に係る遮断器１の外観を示した斜視説明図であり、図２は、遮断器１を正面側から見た説明図である。また、図３は、遮断器１の内部を示した斜視説明図であり、図４は、負荷側端子３に負荷配線１３が接続された状態における遮断器１の断面説明図である。尚、遮断器１の負荷側端子３側を、遮断器１の前側として説明する。
【００１０】
遮断器１は、合成樹脂で形成された左右一対のケースを組み立ててなるケース本体４の上面略中央に操作レバー１０を備えてなるものであって、該操作レバー１０を前後方向に回動操作することでケース本体４内に組み込まれた図示しない遮断機構が操作され、後述する電源側端子２と負荷側端子３とが接続／開放されるよう構成されている。尚、ケース本体４内には図示しない過電流検知機構が備えられており、過電流を検知すると遮断機構が開動作するようになっている。
【００１１】
また、遮断器１の後面には、プラグイン方式の端子Ｐ１、Ｐ２、Ｐ３を上下方向に一列に備えてなる電源側端子２が形成されている。各端子Ｐ１〜Ｐ３は、ケース本体４を左右方向に貫通したコ字状に切り欠いて形成されており、分電盤内等に配設される電源ラインである導体バー（図示せず）や該導体バーから分岐された分岐バー（図示せず）を容易に挿入接続可能としている。
【００１２】
一方、遮断器１の前面は、斜め上方を向くように傾斜を付けられた傾斜面に形成されており、該傾斜面には、図４に示す如く、負荷配線１３を挿入接続可能な３つの端子Ｌ１、Ｌ２、Ｌ３からなる負荷側端子３が設けられている（端子Ｌ１は、図８にて示す）。３つの端子Ｌ１、Ｌ２、Ｌ３は、傾斜面上で上下方向に一列に配設され、操作レバー１０及び電源側端子２を含む平面視一直線上に負荷側端子３は形成されている。また、各端子Ｌ１〜Ｌ３は、傾斜面に直交するケース本体４内方へ向けて設けられた電線挿入空間（接続部）１１を備えている。該電線挿入空間１１には、挿入された負荷配線１３に接触する速結端子金具（接続部）１５が設置されており、各端子Ｌ１〜Ｌ３は、速結端子として機能する。そして、電源側端子２と負荷側端子３とは、夫々対応する端子同士が連結されるように構成されている。
【００１３】
また、各端子Ｌ１〜Ｌ３の下方には、たとえば絶縁抵抗測定試験等を行うための各種計器の測定端子を差し込み可能な差込孔１６が開設されている。各差込孔１６内には、その直上に位置する端子Ｌ１、Ｌ２、Ｌ３の速結端子金具１５と接触する端子金具１７が夫々設置されており、各種計器の測定端子を差込孔１６から差し込んで端子金具１７に接触させることによって、絶縁抵抗測定試験等を実施することができる。
【００１４】
さらに、遮断器１の前面には、その左右両縁に沿って支持壁５、５が、傾斜方向に沿って、且つ、傾斜面に対して垂直方向に立設されている。該支持壁５、５内面には、傾斜方向に沿って図示しない係合溝が上下二段に凹設されており、下段係合溝には図５に示すような差込孔カバー（カバー部材）８が、上段係合溝には図６に示すような端子カバー６が夫々傾斜方向でスライド自在に支持されている。また、支持壁５、５の所定位置には、後述の如くして端子カバー６の表示部３３ａ、３３ｂを覆う被覆部７が、傾斜面の一部を覆うように支持壁５、５間で架設されている。尚、支持壁５、５間の上端部及び下端部は、ケース本体４組み立て状態において閉塞されている。
【００１５】
ここで、図５及び６に基づき、差込孔カバー８、及び端子カバー６について説明する。図５は、差込孔カバー８の外観を示した斜視説明図であり、図６は、端子カバー６の外観を示した斜視説明図である。
差込孔カバー８は、合成樹脂を上下方向へ長い矩形薄板状に形成してなるものであって、その中央には、上下方向に長い長孔（開口部）２１、２１・・が端子Ｌ１〜Ｌ３に対応する間隔で３つ穿設されている。各長孔２１は、傾斜面上で上下に連設された一組の端子Ｌ１〜Ｌ３及び差込孔１６を同時に露出可能な程度の大きさを有している。また、差込孔カバー８の中央左右両縁部には、夫々外方へ膨出状に形成された係止部（保持部）２２、２２が一体的に設けられている。そして、係止部２２、２２を、下段係合溝の所定箇所（後述の如き差込孔１６のカバー位置と露出位置との二箇所）に設けられた係止凹部に係止させることにより、差込孔カバー８をその位置にて保持することができる。尚、差込孔カバー８は、図３に示すように、遮断器１のケース本体４を組み立てる際に支持壁５、５間へ設置され、ケース本体４組み立て後には、支持壁５、５間から脱却しないようになっている。
【００１６】
一方、端子カバー６は、弾性を有する合成樹脂を矩形薄板状に形成してなるものであって、その略中央には、上下両側が凹状に刻設されることで、その中央部が前方へ突出した形状の突部３１が一体的に設けられている。また、端子カバー６の右側縁部には、Ｌ字状の切り込みを設けることにより、腕状の弾性係止片３２が設けられている。該弾性係止片３２の先端部は、右側方へと膨出する膨出部となっており、該膨出部を、上段係合溝の所定箇所（後述の如き各端子Ｌ１〜Ｌ３の閉塞位置に合わせた複数箇所）に設けられた係止凹部に係止させることにより、端子カバー６をその位置にて保持可能となっている。さらに、端子カバー６の上部及び下部には、１００Ｖ出力又は２００Ｖ出力を示す表示がなされた表示部３３ａ、３３ｂが設けられている。尚、端子カバー６も、差込孔カバー８同様、ケース本体４組み立て後には、支持壁５、５間から脱却しないように設置されている。
【００１７】
上述したような遮断器１では、次のようにして出力電圧の切り換えがなされる。電源側端子２は上部の端子Ｐ１が中性接続端子、下部二端子Ｐ２、Ｐ３が電圧端子である一方、負荷側端子３は、中央の端子Ｌ２が中性線接続端子としてあり、負荷側端子３の端子Ｌ１−Ｌ２、或いは端子Ｌ２−Ｌ３に負荷配線１３、１３を接続した場合には１００Ｖの出力を得ることができる。そこで、１００Ｖの出力を得たい場合には、端子Ｌ１又は端子Ｌ３を端子カバー６にて閉塞すれば、誤結線を防ぐことができる。したがって、図１に示すように、端子Ｌ１を覆うような位置に端子カバー６を位置させれば、端子Ｌ１が閉塞され、端子Ｌ１への負荷配線１３の接続が不可能となる。また、該端子Ｌ１閉塞位置にあっては、弾性係止片３２が上段係合溝内の係止凹部に係止しており、端子カバー６を端子Ｌ１閉塞位置にて保持している。さらに、端子Ｌ１閉塞位置にあっては、端子カバー６の下部に設けられた表示部３３ｂが被覆部７に覆われており、作業者からは１００Ｖと示された表示部３３ａのみが視認可能となっている。尚、１００Ｖの出力を得たい場合には、上記の如く端子Ｌ３を閉塞してもよい。そこで、端子カバー６を遮断器前面の最下端までスライドさせ、端子Ｌ３を閉塞する端子Ｌ３閉塞位置に位置させてもよい。該端子Ｌ３閉塞位置にあっても、弾性係止片３２が係止凹部に係止しており、端子カバー６を端子Ｌ３閉塞位置にて保持している。また、表示部３３ｂは、支持壁５、５の下端縁により覆われており、表示部３３ａのみが視認可能となっている。
【００１８】
一方、端子Ｌ１−Ｌ３間に負荷配線１３、１３を接続した場合には、２００Ｖの出力を得ることができる。そこで、２００Ｖの出力を得たい場合には、端子Ｌ２を端子カバー６にて閉塞すれば、誤結線を防ぐことができる。したがって、図８に示すように、端子Ｌ１閉塞位置から端子Ｌ２を覆う端子Ｌ２閉塞位置へ端子カバー６を上段係合溝内でスライドさせれば、端子Ｌ２が閉塞され、端子Ｌ２への負荷配線１３の接続が不可能となる。この端子カバー６のスライド操作にあたっては、端子カバー６の突部３１に指先等をあてがい、下方へと端子カバー６を押し下げれば、弾性係止片３２と係止凹部との係止が解除され、端子カバー６をスライド自在な状態とすることができる。
さらに、端子Ｌ２閉塞位置にあっても、弾性係止片３２が上段係合溝内の係止凹部に係止しており、端子カバー６を端子Ｌ２閉塞位置にて保持している。加えて、端子Ｌ２閉塞位置にあっては、端子カバー６の上部に設けられた表示部３３ａが被覆部７に覆われており、作業者からは２００Ｖと示された表示部３３ｂのみが視認可能となっている。
【００１９】
また、遮断器１にて絶縁抵抗測定試験等を実施したい場合には、以下のようにして行うことができる。
通常、差込孔カバー８は、図１に示す如く、差込孔１６を覆うことによって差込孔１６を閉塞し、各端子Ｌ１〜Ｌ３のみを長孔２１、２１・・内から露出させるカバー位置（閉塞位置）に位置している。カバー位置にあっては、差込孔カバー８の係止部２２、２２が下段係合溝内の係止凹部に係止しており、差込孔カバー８をカバー位置にて保持している。また、該状態にあっては、各端子Ｌ１〜Ｌ３が長孔２１、２１・・内から露出しているため、端子Ｌ１〜Ｌ３へ負荷配線１３を自由に接続することができる。
【００２０】
ここで、絶縁抵抗測定試験を実施したい場合には、差込孔カバー８を上記カバー位置から、図７に示すような、各長孔２１内に差込孔１６が露出する露出位置（開放位置）まで下段係合溝内を上方へスライドさせればよい。この差込孔カバー８のスライド操作にあたっては、指先等により差込孔カバー８を上方へと押し上げれば、係止部２２、２２と係止凹部との係止が解除され、差込孔カバー８をスライド自在な状態とすることができる。
そして、露出位置にあっては、各長孔２１内に差込孔１６が露出するため、該差込孔１６へと各種計器の測定端子が差し込み可能となり、絶縁抵抗測定試験を実施することができる。また、露出位置にあっても、係止部２２、２２が下段係合溝内の係止凹部に係止しており、差込孔カバー８を露出位置にて保持している。その後、絶縁抵抗測定試験が済めば、差込孔カバー８をカバー位置までスライドさせればよい。尚、各長孔２１は、一組の端子Ｌ１〜Ｌ３及び差込孔１６を同時に露出可能な大きさに形成されているため、負荷配線１３を各端子Ｌ１〜Ｌ３へ接続したまま、差込孔カバー８の上記スライド操作を行うことができる。
【００２１】
以上のような構成を有する遮断器１によれば、負荷側端子３を電源側端子２と合わせて平面視一直線上に設けているため、ケース本体４の幅を１６ｍｍより狭く形成することが可能となり、遮断器１を薄型化、小型化することができる。また、負荷配線１３の接続位置を選択することにより、出力電圧を容易に変更・決定可能であるため、分電盤内等での電圧線の電流バランスを採りやすい上、負荷配線１３、１３の接続位置を目視するだけで出力電圧を確認することができ、出力電圧を容易に把握することができる。さらに、ケース本体４の前面を斜め上方に向けて傾斜形成しているため、遮断器１の上方から負荷側端子３の個々の端子Ｌ１〜Ｌ３の状態を視認し易く、接続状態の確認をし易い。
【００２２】
また、端子カバー６を傾斜面上にてスライド操作することにより、負荷側端子３において使用しない端子を閉塞することができる。したがって、誤結線を効果的に防止することができる上、使用しない端子内へ塵等が入り込んで不具合が発生するといった事態をも防止することができる。さらに、端子カバー６は、スライド操作のみによって所望の端子を閉塞可能に取り付けられているため、端子カバーを一旦取り外して閉塞する端子を変更するといった面倒な作業を行う必要がない。
【００２３】
さらにまた、端子カバー６に膨出部を有する弾性係止片３２を備えているため、該弾性係止片３２と上段係合溝内の係止凹部との係止によって、端子カバー６を所定の端子Ｌ１〜Ｌ３閉塞位置にて保持することができる。したがって、負荷配線１３の接続作業中等に、端子カバー６が安易に端子Ｌ１〜Ｌ３閉塞位置からずれることがなく、使い勝手が良い。さらにまた、上記端子カバー６の保持は、弾性係止片３２と係止凹部との弾性を利用した係止であるため、スライドさせたい方向へと力を加えるだけで容易に端子カバー６をスライド操作することができ、作業性が非常に良い。加えて、端子カバー６の中央に突部３１を設けているため、端子カバー６のスライド操作に係る操作性の一層の向上を期待することができる。
【００２４】
またさらに、端子カバー６の上部及び下部に、１００Ｖ出力又は２００Ｖ出力を示した表示部３３ａ、３３ｂを設けているとともに、端子カバー６が所定の端子Ｌ１〜Ｌ３閉塞位置にある際に、上記表示部３３ａ、３３ｂの一方を覆う被覆部７を支持壁５、５の所定位置に架設している。そのため、作業者は、端子カバー６が一の端子閉塞位置にある際に、１００Ｖ出力の状態となっているのか又は２００Ｖ出力の状態となっているのかを、被覆部７に覆われていない表示部３３ａ又は３３ｂを目視することにより、容易に確認することができる。したがって、誤結線を極めて確実に防止することができる。
【００２５】
一方、遮断器１の前面において各端子Ｌ１〜Ｌ３の下側には、各種計器の測定端子を差込可能な差込孔１６が設けられており、各差込孔１６内には、各端子Ｌ１〜Ｌ３の速結端子金具１５に接触する端子金具１７が設置されている。したがって、遮断器１の前面側から絶縁抵抗測定試験等を実施することができ、分電盤内等にて遮断器１が設置状態にあったとしても、隣接設置された遮断器が邪魔になることなく、上記試験を実施することができる。
【００２６】
また、遮断器１の前面には、一組の端子Ｌ１〜Ｌ３及び差込孔１６を同時に露出可能な大きさを有する長孔２１、２１・・を備えた差込孔カバー８が、端子Ｌ１〜Ｌ３と差込孔１６とを長孔２１内に露出させる露出位置と、差込孔１６を閉塞するカバー位置との間でスライド可能に取り付けられている。したがって、絶縁抵抗測定試験等を行わない場合には、差込孔１６、１６・・を閉塞しておくことができ、差込孔１６への負荷配線１３の誤結線の防止や、差込孔１６内への塵等の進入を防止することができる。
【００２７】
さらに、各長孔２１は、上述の如く一組の端子Ｌ１〜Ｌ３及び差込孔１６を同時に露出可能な大きさに形成されているため、各端子Ｌ１〜Ｌ３へ負荷配線１３を挿入接続した状態のまま、絶縁抵抗測定試験等を行う（すなわち、差込孔カバー８をカバー位置から露出位置へとスライド操作する）ことができ、使い勝手が良い。加えて、差込孔カバー８には、端子Ｌ１〜Ｌ３の間隔に応じて複数の長孔２１、２１・・が設けられている（すなわち、各差込孔１６における開閉機構を一体とした構成となっている）ため、各差込孔１６毎に開閉機構を備えたものと比較すると、非常に作業性に富む。
【００２８】
さらにまた、差込孔カバー８に外方へと膨出する係止部２２、２２を備えているため、該係止部２２と下段合溝内の係止凹部との係止によって、差込孔カバー８をカバー位置及び露出位置にて保持することができる。したがって、絶縁抵抗測定試験実施中や分電盤内等への設置状態にあって、差込孔カバー８の位置が安易にずれることがなく、使い勝手が非常に良い。さらにまた、上記差込孔カバー８の保持も、合成樹脂製の係止部２２、２２と係止凹部との係止であるため、スライドさせたい方向へと力を加えるだけで差込孔カバー８を容易にスライド操作することができ、極めて作業性が良い。
【００２９】
またさらに、上記端子カバー６及び差込孔カバー８は、遮断器１の前面にて支持壁５、５間に挟まれた状態で保持されており、ケース本体４組み立て後には取り外し不可能となっているため、端子カバー６及び差込孔カバー８が不用意に脱却することがなく、作業時等に無くすこともない。また、端子カバー６及び差込孔カバー８は、ケース本体４（支持壁５、５を含む）から突出しない状態で保持されているため、分電盤内等に隣接設置された遮断器１同士で端子カバー６や差込孔カバー８が干渉したりすることもなく、遮断器１の設置スペースの更なる省スペース化を図ることができ、ひいては分電盤の小型化等をも図ることができる。
【００３０】
加えて、端子カバー６及び差込孔カバー８は、どちらも薄板状に形成されており、遮断器１前面の支持壁５、５間において、端子カバー６は上段係合溝に沿って、差込孔カバー８は下段係合溝に沿って夫々独立にスライド操作可能としているため、使い勝手が良い上、回動操作を行う扉部材を備えるような遮断器と比較すると、遮断器１の一層のコンパクト化を実現することができる。
【００３１】
なお、本発明の遮断器に係る構成は、上記実施形態の態様に何ら限定されるものではなく、ケース本体、電源側端子、負荷側端子、端子カバー、及び差込孔カバー等に係る構成ついて、本発明の趣旨を逸脱しない範囲で、必要に応じて適宜変更することができる。
【００３２】
たとえば、上記実施形態では、中央の端子Ｐ２、Ｌ２を中性極としているが、上下の何れか一方の端子を中性極としても何ら問題はない。また、負荷側端子の各端子Ｌ１〜Ｌ３では、電線挿入空間を傾斜面に直交する斜め下方に向けて形成しているが、前方から水平に後方へ向けて負荷配線を挿入可能に電線挿入空間を形成してもよいし、上方から底部に向けて負荷配線を挿入可能に電線挿入空間を形成してもよい。尚、差込孔に関しても、同様に種々の方向へ向けて形成することができる。
また、負荷側端子を二端子とし、電源側端子において入力端子位置を切り換えることにより、出力電圧を切換可能な遮断器とすることも可能である。
【００３３】
さらに、上記実施形態では、遮断器の前面を斜め上方に向けて傾斜する傾斜面に形成しているが、遮断器の前面を垂直面とし、該垂直面に、たとえば後方へ向けて負荷配線を挿入するような電線挿入空間を有する負荷側端子を設けた構成とすることも可能である。
さらにまた、電源側端子及び負荷側端子を平面視一直線上に配置しているが、僅かに左右方向にずらして配置しても構わない。そうすることで、ケース本体の左右幅方向の厚みが増すことになるが、負荷側端子の視認性の向上を図ることができる。例えば中央の端子Ｌ２のみ左右の一方向にずらすことで、３つの端子Ｌ１〜Ｌ３の上方からの視認性を向上することができる。
【００３４】
またさらに、上記実施形態では、端子カバーの表示部に「１００Ｖ」又は「２００Ｖ」と記載しているが、そのような記載を行う代わりに、各表示部を異なる色で着色することによって両者を識別可能とするように構成することも可能である。加えて、端子カバー及び差込孔カバーの夫々の位置での係止機構についても適宜変更可能であって、上記実施形態に記載したような弾性係止片や係止部等に何ら限定されることはない。尚、端子カバー及び差込孔カバーを、ケース本体に比べて軟質な樹脂で作製することにより、スライド及び係止動作をスムーズに行うことができる、という効果を奏することができる。
【図面の簡単な説明】
【００３５】
【図１】本発明に係る遮断器の外観を示した斜視説明図である。
【図２】遮断器を正面側から見た説明図である。
【図３】遮断器の内部を示した斜視説明図である。
【図４】負荷側端子に負荷配線が接続された状態における遮断器の断面説明図である。
【図５】差込孔カバーの外観を示した斜視説明図である。
【図６】端子カバーの外観を示した斜視説明図である。
【図７】差込孔カバーを露出位置に位置させた状態の遮断器を示す斜視説明図である。
【図８】端子カバーを端子Ｌ２閉塞位置に位置させた状態の遮断器を示す斜視説明図である。
【符号の説明】
【００３６】
１・・遮断器、２・・電源側端子、３・・負荷側端子、４・・ケース本体、５・・支持壁、６・・端子カバー、７・・被覆部、８・・差込孔カバー、１３・・負荷配線、１５・・速結端子金具、１６・・差込孔、１７・・端子金具、２１・・長孔、２２・・係止部、３１・・突部、３２・・弾性係止片、３３ａ、３３ｂ・・表示部。
【図１】
0004813957.tif 000002
【図２】
0004813957.tif 000003
【図３】
0004813957.tif 000004
【図４】
0004813957.tif 000005
【図５】
0004813957.tif 000006
【図６】
0004813957.tif 000007
【図７】
0004813957.tif 000008
【図８】
0004813957.tif 000009